(57)【要約】【課題】無線通信システムにおいてＲＬＣ（無線リンク制御）エンティティーの再確立を処理する方法及び装置を提供する。【解決手段】方法は、複数の制御ＰＤＵ（プロトコルデータユニット）を一時保存する段階と、受信側のみ再確立されるときに、前記複数の制御ＰＤＵの中のＰＯＬＬ  ＳＵＦＩ（ポーリングスーパーフィールド）を保留する段階とを含む。【選択図】図３
2008289160.tif 000002
【特許請求の範囲】
【請求項１】
無線通信システムにおいてＲＬＣ（無線リンク制御）エンティティーを再確立する方法であって、
当該ＲＬＣエンティティーは送信側と受信側を含み、
当該方法は、複数の制御ＰＤＵ（プロトコルデータユニット）を一時保存する段階と、受信側のみ再確立されるときに、前記複数の制御ＰＤＵの中のＰＯＬＬ  ＳＵＦＩ（ポーリングスーパーフィールド）を保留する段階とを含む、ＲＬＣエンティティー再確立の処理方法。
【請求項２】
前記方法は更に、前記複数の制御ＰＤＵの中のＭＲＷ  ＳＵＦＩ（受信ウィンドウ移動スーパーフィールド）を保留する段階を含む、請求項１に記載のＲＬＣエンティティー再確立の処理方法。
【請求項３】
前記方法は更に、前記複数の制御ＰＤＵの中の肯定応答状態報告ユニット、ＷＩＮＤＯＷ  ＳＵＦＩ（受信ウィンドウサイズ調整スーパーフィールド）、ＭＲＷ＿ＡＣＫ  ＳＵＦＩ（受信ウィンドウ移動肯定応答スーパーフィールド）、リセットＰＤＵ、及びリセット肯定応答ＰＤＵを廃棄する段階を含む、請求項１に記載のＲＬＣエンティティー再確立の処理方法。
【請求項４】
無線通信システムにおいてＲＬＣエンティティーの再確立を正確に処理するための通信装置であって、
当該ＲＬＣエンティティーは送信側と受信側を含み、
当該通信装置は、通信装置の機能を実現する制御回路と、制御回路の中に設けられ、プログラムコードを実行して制御回路を制御するＣＰＵ（中央処理装置）と、制御回路の中にＣＰＵと結合するように設けられ、プログラムコードを記録する記憶装置とを含み、
前記プログラムコードは、複数の制御ＰＤＵを一時保存するコードと、受信側のみ再確立されるときに、前記複数の制御ＰＤＵの中のＰＯＬＬ  ＳＵＦＩを保留するコードとを含む、通信装置。
【請求項５】
前記プログラムコードは更に、前記複数の制御ＰＤＵの中のＭＲＷ  ＳＵＦＩを保留する段階を含む、請求項４に記載の通信装置。
【請求項６】
前記プログラムコードは更に、前記複数の制御ＰＤＵの中の肯定応答状態報告ユニット、ＷＩＮＤＯＷ  ＳＵＦＩ、ＭＲＷ＿ＡＣＫ  ＳＵＦＩ、リセットＰＤＵ、及びリセット肯定応答ＰＤＵを廃棄するコードを含む、請求項４に記載の通信装置。
【請求項７】
無線通信システムにおいてＲＬＣエンティティーを再確立する方法であって、
当該ＲＬＣエンティティーは送信側と受信側を含み、
当該方法は、複数の制御ＰＤＵを一時保存する段階と、送信側のみ再確立されるときに、前記複数の制御ＰＤＵの中のＰＯＬＬ  ＳＵＦＩを廃棄する段階とを含む、ＲＬＣエンティティー再確立の処理方法。
【請求項８】
前記方法は更に、前記複数の制御ＰＤＵの中のＭＲＷ  ＳＵＦＩ、リセットＰＤＵ、及びリセット肯定応答ＰＤＵを廃棄する段階を含む、請求項７に記載のＲＬＣエンティティー再確立の処理方法。
【請求項９】
前記方法は更に、前記複数の制御ＰＤＵの中の肯定応答状態報告ユニット、ＷＩＮＤＯＷ  ＳＵＦＩ、ＭＲＷ＿ＡＣＫ  ＳＵＦＩを保留する段階を含む、請求項７に記載のＲＬＣエンティティー再確立の処理方法。
【請求項１０】
無線通信システムにおいてＲＬＣエンティティーの再確立を正確に処理するための通信装置であって、
当該ＲＬＣエンティティーは送信側と受信側を含み、
当該通信装置は、通信装置の機能を実現する制御回路と、制御回路の中に設けられ、プログラムコードを実行して制御回路を制御するＣＰＵと、制御回路の中にＣＰＵと結合するように設けられ、プログラムコードを記録する記憶装置とを含み、
前記プログラムコードは、複数の制御ＰＤＵを一時保存するコードと、送信側のみ再確立されるときに、前記複数の制御ＰＤＵの中のＰＯＬＬ  ＳＵＦＩを廃棄するコードとを含む、通信装置。
【請求項１１】
前記プログラムコードは更に、前記複数の制御ＰＤＵの中のＭＲＷ  ＳＵＦＩ、リセットＰＤＵ、及びリセット肯定応答ＰＤＵを廃棄するコードを含む、請求項１０に記載の通信装置。
【請求項１２】
前記プログラムコードは更に、前記複数の制御ＰＤＵの中の肯定応答状態報告ユニット、ＷＩＮＤＯＷ  ＳＵＦＩ、ＭＲＷ＿ＡＣＫ  ＳＵＦＩを保留するコードを含む、請求項１０に記載の通信装置。
【発明の詳細な説明】
【技術分野】
【０００１】
本発明は無線通信システムにおいてＲＬＣ（無線リンク制御）エンティティーの再確立を処理する方法及び装置に関し、特にピアＲＬＣエンティティーの状態を適時にポーリングし、無線資源の浪費を回避する方法及び装置に関する。
【背景技術】
【０００２】
第三世代移動通信技術はＷＣＤＭＡ（広帯域時分割多元接続）方式で高スペクトル利用効率、高カバー率、優れた通話品質と高速伝送を実現するとともに、ＱｏＳ（サービス品質）の確保、柔軟性のある双方向通信の実現、通話中断率の低減に大きく寄与する。
【０００３】
第三世代移動通信システムのＡＳ（アクセスストラタム）はＲＲＣ（無線資源制御）、ＲＬＣ（無線リンク制御）、ＭＡＣ（媒体アクセス制御）、ＰＤＣＰ（パケットデータコンバージェンスプロトコル）、ＢＭＣ（ブロードキャスト／マルチキャスト制御）など機能が異なった複数の副層を含む。また、第三世代移動通信システムは種々の伝送品質要求に応じて、ＴＭ（トランスペアレントモード）、ＵＭ（アンアクノレッジモード）、ＡＭ（アクノレッジモード）で動作する。ＴＭモードは実時間通信を要求するサービスに適し、ＵＭは実時間通信とパケットシーケンスの正確性を同時に要求するサービスに適し、ＡＭは実時間通信よりデータの正確性を要求するサービスに適する。
【０００４】
ＡＭモードでは、ＲＬＣ層は送信側と受信側の組み合わせである。送信側と受信側はそれぞれ、ＲＬＣ層の中で送信と受信を処理する部分を指し、両者はシステム資源を共用する。ＲＬＣ層は特定の場合に再確立しなければならない（例えば再確立プロセスを起動する）。この場合、従来の技術では送信側または受信側の再確立プロセスを通して、ＲＬＣ層を再確立する。
【０００５】
ＲＬＣ層の動作について、ＲＬＣプロトコル仕様によれば、ＲＬＣエンティティーの受信側のみ再確立する場合、従来の技術ではＭＲＷ  ＳＵＦＩ（受信ウィンドウ移動スーパーフィールド）を保留して他の制御ＰＤＵを廃棄する。言い換えれば、ＰＯＬＬ  ＳＵＦＩ（ポーリングスーパーフィールド）も廃棄する。ＰＯＬＬ  ＳＵＦＩはピアＲＬＣエンティティーの状態のポーリングに用いられるため、受信側のみ再確立するとき、従来の技術ではピアＲＬＣエンティティーに対して状態報告ユニットを返送するように適時に要求し、ピアＲＬＣエンティティーの状態をポーリングすることができない。
【０００６】
同じく、ＲＬＣプロトコル仕様によれば、ＲＬＣエンティティーの送信側のみ再確立するとき、従来の技術ではＭＲＷ  ＳＵＦＩ、リセットＰＤＵ（プロトコルデータユニット）、及びリセット肯定応答ＰＤＵ（ＲＥＳＥＴ  ＡＣＫ  ＰＤＵ）を廃棄する。言い換えれば、ＰＯＬＬ  ＳＵＦＩを廃棄しないため、ＲＬＣエンティティーまたはピアＲＬＣエンティティーは無効な状態報告ユニットまたはピギーバック状態報告ユニットを返送し、無線資源の浪費を引き起こす。
【発明の開示】
【発明が解決しようとする課題】
【０００７】
本発明の主な目的は、従来の技術の欠点を改善するために、無線通信システムにおいてＲＬＣエンティティーの再確立を処理する方法及び装置を提供することにある。
【課題を解決するための手段】
【０００８】
本発明では、無線通信システムにおいてＲＬＣ（無線リンク制御）エンティティーを再確立する方法を掲示する。当該ＲＬＣエンティティーは送信側と受信側を含む。当該方法は、複数の制御ＰＤＵ（プロトコルデータユニット）を一時保存する段階と、受信側のみ再確立されるときに、前記複数の制御ＰＤＵの中のＰＯＬＬ  ＳＵＦＩ（ポーリングスーパーフィールド）を保留する段階とを含む。
【０００９】
本発明では更に、無線通信システムにおいてＲＬＣエンティティーの再確立を正確に処理するための通信装置を提供する。当該ＲＬＣエンティティーは送信側と受信側を含む。当該通信装置は、通信装置の機能を実現する制御回路と、制御回路の中に設けられ、プログラムコードを実行して制御回路を制御するＣＰＵ（中央処理装置）と、制御回路の中にＣＰＵと結合するように設けられ、プログラムコードを記録する記憶装置とを含む。前記プログラムコードは、複数の制御ＰＤＵを一時保存するコードと、受信側のみ再確立されるときに、前記複数の制御ＰＤＵの中のＰＯＬＬ  ＳＵＦＩを保留するコードとを含む。
【００１０】
本発明では更に、無線通信システムにおいてＲＬＣエンティティーを再確立する方法を提供する。当該ＲＬＣエンティティーは送信側と受信側を含む。当該方法は、複数の制御ＰＤＵを一時保存する段階と、送信側のみ再確立されるときに、前記複数の制御ＰＤＵの中のＰＯＬＬ  ＳＵＦＩを廃棄する段階とを含む。
【００１１】
本発明では更に、無線通信システムにおいてＲＬＣエンティティーの再確立を正確に処理するための通信装置を提供する。当該ＲＬＣエンティティーは送信側と受信側を含む。当該通信装置は、通信装置の機能を実現する制御回路と、制御回路の中に設けられ、プログラムコードを実行して制御回路を制御するＣＰＵと、制御回路の中にＣＰＵと結合するように設けられ、プログラムコードを記録する記憶装置とを含む。前記プログラムコードは、複数の制御ＰＤＵを一時保存するコードと、送信側のみ再確立されるときに、前記複数の制御ＰＤＵの中のＰＯＬＬ  ＳＵＦＩを廃棄するコードとを含む。
【発明を実施するための最良の形態】
【００１２】
かかる方法及び装置の特徴を詳述するために、具体的な実施例を挙げ、図を参照にして以下に説明する。
【００１３】
図５を参照する。図５は無線通信システム１０００を表す説明図である。無線通信システム１０００は第三世代移動通信システム、ＬＴＥ（ｌｏｎｇ  ｔｅｒｍ  ｅｖｏｌｕｔｉｏｎ）無線通信システム、または他の移動通信システムであり、概してネットワークと複数のＵＥ（ユーザー端末）から構成される。図５では、ネットワークとＵＥは無線通信システム１０００の構造を説明するに用いられ、実際、ネットワークは要求に応じて複数の基地局、ＲＮＣ（無線ネットワークコントローラー）を含みうる。ＵＥは携帯電話またはコンピュータシステムなどの装置である。
【００１４】
図１を参照する。図１は無線通信装置１００のブロック図である。無線通信装置１００は図５に示すＵＥまたはネットワークを実施するものである。説明を簡潔にするために、図１では無線通信装置１００の入力装置１０２、出力装置１０４、制御回路１０６、ＣＰＵ（中央処理装置）１０８、記憶装置１１０、プログラムコード１１２及びトランシーバー１１４のみ示している。無線通信装置１００では、制御回路１０６はＣＰＵ１０８を通して記憶装置１１０に記録されたプログラムコード１１２を実行することで、無線通信装置１００の動作を制御し、入力装置１０２（例えばキーボード）でユーザーが入力した信号を受信し、出力装置１０４（スクリーン、スピーカーなど）で映像、音声などの信号を出力する。無線信号を受発信するトランシーバー１１４は受信した信号を制御回路１０６に送信し、または制御回路１０６による信号を無線で出力する。言い換えれば、通信プロトコルの構造に当てはめれば、トランシーバー１１４は第一層の一部とみなされ、制御回路１０６は第二層と第三層の機能を実現する。
【００１５】
図２を参照する。図２は図１に示すプログラムコード１１２を表す説明図である。プログラムコード１１２はアプリケーション層２００と、第三層インターフェイス２０２と第二層インターフェイス２０６を備え、第一層インターフェイス２１８と接続されている。信号を発するとき、第二層インターフェイス２０６は第三層インターフェイス２０２から出力されたデータに基づいて、複数のＳＤＵ２０８を形成してバッファ２１２に保存する。その後、第二層インターフェイス２０６はバッファ２１２に保存されたＳＤＵ２０８に基づいて複数のＰＤＵ２１４を生成し、これらのＰＤＵ２１４を第一層インターフェイスを通して送信先に出力する。それに反して、無線信号を受信するときは、第一層インターフェイス２１８で信号を受信し、受信した信号をＰＤＵ２１４として第二層インターフェイス２０６に出力する。第二層インターフェイス２０６はこのＰＤＵ２１４をＳＤＵ２０８に還元してバッファ２１２に保存する。最後に、第二層インターフェイス２０６はバッファ２１２に保存されたＳＤＵ２０８を第三層インターフェイス２０２に送信する。
【００１６】
無線通信装置１００がＡＭモードで動作するとき、第二層インターフェイス２０６は送信側と受信側の組み合わせである。送信側と受信側とはそれぞれ、ＲＬＣ層の送信と受信の部分を指す。特定の場合では、前記プログラムコード１１２で第二層インターフェイス２０６を再確立しなければならない。それに鑑みて、本発明では再確立処理プログラムコード２２０を通して第二層インターフェイス２０６を正確に再確立する。
【００１７】
図３を参照する。図３は本発明の実施例による方法３０のフローチャートである。下記方法３０は無線通信システム１０００においてＲＬＣエンティティーの再確立を処理するために用いられ、当該ＲＬＣエンティティーは送信側と受信側を含む。下記方法３０は再確立処理プログラムコード２２０としてコンパイルすることができる。
ステップ３００：開始。
ステップ３０２：複数の制御ＰＤＵを一時保存する。
ステップ３０４：受信側のみ再確立されるときに、前記複数の制御ＰＤＵの中のＭＲＷ  ＳＵＦＩとＰＯＬＬ  ＳＵＦＩを保留し、他の制御ＰＤＵをすべて廃棄する。
ステップ３０６：終了。
【００１８】
以上のように、受信側のみ再確立するとき、本発明の実施例ではＭＲＷ  ＳＵＦＩとＰＯＬＬ  ＳＵＦＩを保留し、他の制御ＰＤＵ、例えば肯定応答状態報告ユニット、ＷＩＮＤＯＷ  ＳＵＦＩ（受信ウィンドウサイズ調整スーパーフィールド）、ＭＲＷ＿ＡＣＫ  ＳＵＦＩ（受信ウィンドウ移動肯定応答スーパーフィールド）、リセットＰＤＵ、及びリセット肯定応答ＰＤＵをすべて廃棄する。ＰＯＬＬ  ＳＵＦＩを保留して廃棄しないので、受信側のみ再確立するとき、本発明の実施例ではピアＲＬＣエンティティーに対して状態報告ユニットを返送するように適時に要求し、ピアＲＬＣエンティティーの状態をポーリングすることができる。
【００１９】
したがって、前記方法３０によれば、受信側のみ再確立するとき、本発明の実施例ではＰＯＬＬ  ＳＵＦＩを保留して廃棄せず、ピアＲＬＣエンティティーの状態を適時にポーリングすることができる。
【００２０】
図４を参照する。図４は本発明の実施例による方法４０のフローチャートである。下記方法４０は無線通信システム１０００においてＲＬＣエンティティーの再確立を処理するために用いられ、当該ＲＬＣエンティティーは送信側と受信側を含む。下記方法４０は再確立処理プログラムコード２２０としてコンパイルすることができる。
ステップ４００：開始。
ステップ４０２：複数の制御ＰＤＵを一時保存する。
ステップ４０４：送信側のみ再確立されるときに、前記複数の制御ＰＤＵの中のＰＯＬＬ  ＳＵＦＩ、ＭＲＷ  ＳＵＦＩ、リセットＰＤＵ、及びリセット肯定応答ＰＤＵを廃棄する。
ステップ４０６：終了。
【００２１】
以上のように、送信側のみ再確立するときに、本発明の実施例ではＰＯＬＬ  ＳＵＦＩ、ＭＲＷ  ＳＵＦＩ、リセットＰＤＵ、及びリセット肯定応答ＰＤＵを廃棄し、その他の制御ＰＤＵ、例えば肯定応答状態報告ユニット、受信ウィンドウサイズ調整スーパーフィールド、及び受信ウィンドウ肯定応答スーパーフィールドを保留する。ＰＯＬＬ  ＳＵＦＩを廃棄するので、本発明の実施例によるＲＬＣエンティティーまたはピアＲＬＣエンティティーは無効な状態報告ユニットもしくはピギーバック状態報告ユニットを送信せず、無線資源の浪費を防止することができる。
【００２２】
したがって、前記方法４０によれば、送信側のみ再確立するとき、本発明の実施例ではＰＯＬＬ  ＳＵＦＩを廃棄し、無効な状態報告ユニットもしくはピギーバック状態報告ユニットの送信を回避することができる。
【００２３】
まとめていえば、本発明の実施例では受信側のみ再確立する場合と送信側のみ再確立する場合に対応するＰＯＬＬ  ＳＵＦＩの処理方法を提供し、ピアＲＬＣエンティティーの状態を適時にポーリングし、無線資源の浪費を防止する。
【００２４】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【図面の簡単な説明】
【００２５】
【図１】無線通信装置のブロック図である。
【図２】図１に示すプログラムコードを表す説明図である。
【図３】本発明の実施例による方法のフローチャートである。
【図４】本発明の実施例による方法のフローチャートである。
【図５】無線通信システムを表す説明図である。
【符号の説明】
【００２６】
１００  無線通信装置
１０２  入力装置
１０４  出力装置
１０６  制御回路
１０８  ＣＰＵ
１１０  記憶装置
１１２  プログラムコード
１１４  トランシーバー
２００  アプリケーション層
２０２  第三層インターフェイス
２０６  第二層インターフェイス
２０８  ＳＤＵ
２１２  バッファ
２１４  ＰＤＵ
２１８  第一層インターフェイス
２２０  再確立処理プログラムコード
１０００  無線通信システム
【図１】
2008289160.tif 000003
【図２】
2008289160.tif 000004
【図３】
2008289160.tif 000005
【図４】
2008289160.tif 000006
【図５】
2008289160.tif 000007